(57)【要約】      （修正有）【課題】裏側から操作レバーを操作し、容易にダイヤル番号の変更ができるダイヤル錠を提供する。【解決手段】駆動部材は、ダイヤル操作盤４と、ダイヤル操作盤の裏側にダイヤル中心軸３を介してダイヤル操作盤に一体的又は係合して回転可能に設けられ、かつダイヤル中心軸の同心円上に突設された多数の係合部３１を有するダイヤル変更用係合体３０とから成り、回転子部材５，６は、一つの回転子の前面にダイヤル変更用係合体の多数の係合部と係合する多数の被係合部３２を有し、また筒状本体部１に組み込まれるラッチホルダー２に、その基端部が軸支された操作レバー１６と、操作レバーの基端部側にその後端部が係合すると共に、ラッチホルダーに軸支されたラッチを超えて延在する先端部が回転子部材に連結された連動接続片２１とを備え、ダイヤル番号の変更時、ラッチホルダーの裏側から操作レバーを操作するダイヤル錠。【選択図】図２
2015206167.tif 000002
【特許請求の範囲】
【請求項１】
駆動部材の回転力に基づいて回転する複数の回転子から成る回転子部材の各切欠部の位置が対応した場合にロック解除の状態となるダイヤル錠に於いて、前記駆動部材は、ダイヤル操作盤と、該ダイヤル操作盤の裏側にダイヤル中心軸を介して一体的に設けられ、かつ該ダイヤル中心軸の同心円上に突設された多数の係合部を有するダイヤル変更用係合体とから成り、前記回転子部材は、少なくとも一つの回転子の前面に前記ダイヤル変更用係合体の多数の係合部と係合する多数の被係合部を有し、また筒状本体部に組み込まれるラッチホルダーに、その基端部が軸支された操作レバーと、該操作レバーの基端部側にその後端部が係合すると共に、ラッチホルダーに軸支されたラッチを超えて延在する先端部が回転子部材に連結された連動接続片とを備え、ダイヤル番号の変更時、ラッチホルダーの裏側から操作レバーを操作すると、回転子部材は該操作レバーの操作力により、ラッチ側に位置変位して該回転子部材の多数の被係合部が前記駆動部材の多数の係合部から離れるダイヤル錠。
【請求項２】
請求項１に於いて、操作レバーは、ラッチホルダーの後端面に固定された軸受け部材に対して配設され、その自由端部には、前記ラッチホルダーの一側壁の内面に形成した係止部分と係脱する係合部分が形成されていることを特徴とするダイヤル錠。
【請求項３】
請求項１又は請求項２に於いて、連動接続片は、操作レバーに設けた可動軸と係合する垂直方向係合部分と、該垂直方向係合部分から水平方向に延在するアーム部分と、該アーム部分の先端部に突設された接続部分を有し、前記接続部分が回転子部材の中心孔に嵌合する連結具に接続自在に係合することを特徴とするダイヤル錠。
【請求項４】
請求項１に於いて、ダイヤル変更用係合体の外周面は、ダイヤル操作盤の表面に設けた多数の文字数に対応する正多角形に形成され、相対する辺が一対のクリックバネに弾圧されていることを特徴とするダイヤル錠。
【請求項５】
駆動部材の回転力に基づいて回転する複数の回転子から成る回転子部材の各切欠部の位置が対応した場合にロック解除の状態となるダイヤル錠に於いて、前記駆動部材は、ダイヤル操作盤と、該ダイヤル操作盤の内側に互いに係合する係合手段及びダイヤル中心軸を介して回動可能に設けられ、かつ該ダイヤル中心軸の同心円上に突設された多数の係合部を有するダイヤル変更用係合体とから成り、前記回転子部材は、少なくとも一つの回転子の前面に前記ダイヤル変更用係合体の多数の係合部と係合する多数の被係合部を有し、また筒状本体部に組み込まれるラッチホルダーに、その基端部が軸支された操作レバーと、該操作レバーの基端部側にその後端部が係合すると共に、ラッチホルダーに軸支されたラッチを超えて延在する先端部が回転子部材に連結された連動接続片とを備え、ダイヤル番号の変更時、ラッチホルダーの裏側から操作レバーを操作すると、回転子部材は該操作レバーの操作力により、ラッチ側に位置変位して該回転子部材の多数の被係合部が前記駆動部材の多数の係合部から離れるダイヤル錠。
【発明の詳細な説明】
【技術分野】
【０００１】
本発明は、郵便箱やロッカーの扉に取付けられるダイヤル錠に関する。
【背景技術】
【０００２】
特許文献１には、合理的な構成により、新たなる変換番号を任意に設定することができることを目的として、「駆動部材３１は、外壁面にダイヤル番号変換用の印Ｍ１が付されていると共にダイヤル番号変換用の第１係合部３５を有する第１ロータ３２と、前記第１係合部３５と係脱可能な第１被係合部４５を有するダイヤル部材３３とから成り、一方、回転子部材５１は、駆動部材３１の嵌合孔３７、３８、３９に嵌入すると共に、ベース部材に設けられた中心軸４７に回転自在に外嵌合する二物品であり、これらの二物品は、ダイヤル番号変換用の第２係合部５８を有する第２ロータ５２と、外壁面にダイヤル番号変換用の印Ｍ２を有すると共に前記第２係合部５８と係脱可能な第２被係合部５９を有する摘み回転子５３とから成る」ことが記載されている（符号は特許文献１に記載のもの）。この特許文献１は、後述するような問題点がある。また特許文献２には、回転板の小径部を六角形に形成し、その相対する辺が一対のクリックバネに弾圧される旨が、図１１と共に記載されている。
【先行技術文献】
【特許文献】
【０００３】
【特許文献１】特開２００６−２７４６９１号公報
【特許文献２】実公昭５９−２０５３３号公報
【発明の概要】
【発明が解決しようとする課題】
【０００４】
本発明の主たる課題は、新たなる変換番号を任意に設定する際、ラッチホルダーの裏側から操作レバーをテコの原理を利用して操作し、該操作レバーに連動する連動接続片を介して回転子部材を駆動部材から容易に引き離すことである。また特許文献１の如く、付勢手段の付勢力を受けずに、新たなる変換番号を容易に設定することである。さらに、極力、構成する部品点数を少なくして、多数の変換番号を設定することができることである。
【課題を解決するための手段】
【０００５】
本発明のダイヤル錠は、駆動部材の回転力に基づいて回転する複数の回転子から成る回転子部材の各切欠部の位置が対応した場合にロック解除の状態となるダイヤル錠に於いて、前記駆動部材は、ダイヤル操作盤４と、該ダイヤル操作盤の裏側にダイヤル中心軸を介して一体的に設けられ、かつ該ダイヤル中心軸３（その軸孔）の同心円上に突設された多数の係合部３１を有するダイヤル変更用係合体３０とから成り、一方、前記回転子部材は、少なくとも一つの回転子５の前面に前記ダイヤル変更用係合体の多数の係合部３１と係合する多数の被係合部３２を有し、また、筒状本体部１に一体的に組み込まれるラッチホルダー２に直接又は軸受け部材１４を介して、その基端部が軸支された操作レバー１６と、該操作レバーの基端部側にその後端部が係合すると共に、前記ラッチホルダー２に軸支されたラッチ７を超えて延在する先端部が前記回転子部材に一体的に連結された連動接続片２１を備え、ダイヤル番号の変更時、前記ラッチホルダー２の裏側から前記操作レバー１６を操作すると、前記回転子部材（５、６）は該操作レバー１６の操作力により、前記ラッチ７側に位置変位して該回転子部材の多数の被係合部３２が前記駆動部材の多数の係合部３１から離れ、その離れた状態で前記ダイヤル操作盤４を所望の方向へ回してダイヤル番号を変更することを特徴とする。
【０００６】
また本発明のダイヤル錠は、駆動部材の回転力に基づいて回転する複数の回転子から成る回転子部材の各切欠部の位置が対応した場合にロック解除の状態となるダイヤル錠に於いて、前記駆動部材は、ダイヤル操作盤と、該ダイヤル操作盤の内側に互いに係合する係合手段及びダイヤル中心軸を介して回動可能に設けられ、かつ該ダイヤル中心軸の同心円上に突設された多数の係合部を有するダイヤル変更用係合体とから成り、前記回転子部材は、少なくとも一つの回転子の前面に前記ダイヤル変更用係合体の多数の係合部と係合する多数の被係合部を有し、また筒状本体部に組み込まれるラッチホルダーに、その基端部が軸支された操作レバーと、該操作レバーの基端部側にその後端部が係合すると共に、ラッチホルダーに軸支されたラッチを超えて延在する先端部が回転子部材に連結された連動接続片とを備え、ダイヤル番号の変更時、ラッチホルダーの裏側から操作レバーを操作すると、回転子部材は該操作レバーの操作力により、ラッチ側に位置変位して該回転子部材の多数の被係合部が前記駆動部材の多数の係合部から離れ、その離れた状態で前記ダイヤル操作盤４を所望の方向へ回してダイヤル番号を変更することを特徴とする。
【０００７】
上記構成に於いて、操作レバー１６は、ラッチホルダー２の後端面に固定された軸受け部材１４を跨ぐように配設された門型形状であり、その自由端部には、前記ラッチホルダー２の一側壁２ａの内面に形成した係止部分と係脱する係合部分１９が形成されていることを特徴とする。また連動接続片２１は、操作レバー１６に設けた可動軸１８と係合する係合長孔２２を有する垂直方向係合部分２３と、該垂直方向係合部分から水平方向に延在するアーム部分２４と、該アーム部分の先端部に突設された接続部分２５とを有し、前記接続部分が回転子部材の中心孔に嵌合する連結具２６に接続自在に係合することを特徴とする。さらに、ダイヤル変更用係合体３０の外周面は、ダイヤル操作盤４の表面に設けた、少なくとも１２の文字数に対応する１２角形に形成され、相対する辺が一対のクリックバネに弾圧されていることを特徴とする。
【発明の効果】
【０００８】
（ａ）特許文献１のダイヤル錠は、もっぱら室内の窓用クレセントに使用されるものであるから、ダイヤル番号（暗証番号）を変更する場合には、駆動部材としの摘み回転子を手前側にバネ力に抗して引き、引いた状態のままで摘み回転子を所望する数字に合わせるだけで良い。このような構成のダイヤル錠は、例えば建物の共用部分に配設された郵便箱用のダイヤル錠として相応しくない。何故ならば、外部から簡単な操作でダイヤル番号を変更することができるという利便性を有する反面、他人に勝手にダイヤル番号を変更される恐れがあるからである。独立請求項の本願発明は、扉の外側からのダイヤル番号を変更することができず、ダイヤル番号を変更する際には、扉を開いた上で、しかも、筒状本体部の裏側から操作レバーを操作して変更する必要があるので、悪戯によってダイヤル番号が変更されることがない。したがって、例えばマンションの共用部分に配設した郵便箱、スポーツジムのロッカー等に最適である。
（ｂ）回転子部材と操作レバーの間には、操作レバーに連動する連動接続片が設けられているので、例えば操作レバーの自由端部を握って筒状本体部の後端収容部に収容されているテコ式の操作レバーを収容位置から筒状本体部の後方へ倒れる方向に該操作レバーを引き出せば良い。したがって、操作レバーの操作が楽であると共に、ダイヤル番号の変更を容易に行うことができる。付言すると、筒状本体部の後方から操作レバーを操作するだけで、回転子部材の多数の被係合部が駆動部材の多数の係合部から離れた状態となるので、特許文献１の如く、付勢手段の付勢力の影響を受けることなく、ダイヤル操作盤を所望の方向へ自由に回して、新たなる「変更番号」を設定することができる。また構造を複雑にしないで、多数のダイヤル番号を設定することができる。
（ｃ）請求項２に記載の発明は、操作レバーは、ラッチホルダーの後端面に固定された軸受け部材を跨ぐように配設された門型形状であり、その自由端部には、前記ラッチホルダーの上壁部分の内面に形成した係止部分と係脱する係合突部分が形成されているので、扉の開閉操作を繰り返しても、操作レバーがラッチホルダーの外に倒れることがない。
（ｄ）請求項３に記載の発明は、連動接続片は、操作レバーに設けた可動軸と係合する係合長孔を有する垂直方向係合部分と、該垂直方向係合部分から水平方向に延在するアーム部分と、該アーム部分の先端部に突設された接続部分とを有し、前記接続部分が回転子部材の中心孔に嵌合する連結具に接続自在に係合するので、部材同志の組み合わせが容易であると共に、修理、部品の交換等も簡単である。
（ｅ）請求項４に記載の発明は、ダイヤル変更用係合体の外周面は、ダイヤル操作盤の表面に設けた、多数の文字数に対応する正多角形に形成され、相対する辺が一対のクリックバネに弾圧されているので、変更数を多く設定することができると共に、クリックバネの押圧力を確認しながら確実にダイヤル番号を変更（設定）することができる。
【図面の簡単な説明】
【０００９】
図１乃至図１２は本発明の第１実施形態を示す各説明図。
【図１】環境部材を含む概略断面説明図（ロック解除の状態）。
【図２】図１に於いて、ダイヤル番号を変更する際、ラッチホルダーの裏側から操作レバーを後方へ引き倒した状態の概略断面説明図。
【図３】駆動部材等の分解斜視図。
【図４】回転子部材と、連結具と、連動接続片の先端部を示す分解斜視図
【図５】要部（回転子部材、付勢手段、連結具と、連動接続片、操作レバー）の概略断面説明図。
【図６】要部（固定軸と可動軸の位置）の説明図。
【図７】回転子部材の概略断面説明図。
【図８】要部（ダイヤル変更用係合体の多数の係合部と回転子の多数の被係合部）の説明図。
【図９】第２回転子の左側面視からの説明図。
【図１０】要部（ラッチホルダー、軸受け部材、操作レバー、連結具と、連動接続片）の概略断面説明図。
【図１１】ダイヤル番号を変更する際の説明図。
【図１２】クリックバネの説明図。
【図１３】第１実施形態の一部を設計変更した第２実施形態の図１と同様の概略断面説明図（ロック解除の状態）。
【発明を実施するための最良の形態】
【００１０】
（１）基本的な構成部材
図１乃至図１２は、本発明の一実施形態である。文字合せ錠Ｘは、ラッチホルダー２を有する筒状本体部１と、該筒状本体部１の長手方向に設けられる棒状のダイヤル中心軸（ビス）３と、前記筒状本体部１の先端部に前記ダイヤル中心軸３を中心にして左右方向に回転するダイヤル操作盤４と、前記筒状本体部１の前記ラッチホルダー２よりも前方に内装されかつ前記ダイヤル操作盤４の操作力によって施錠又は解錠位置へと回転する回転子部材としての複数個の回転子５、６と、該回転子５、６と前記ラッチホルダー２に軸支さられたラッチ７との間に介在するように前記筒状本体部１に内装され、前記回転子５、６が解錠位置の場合には前記ラッチ７が筒状本体部１の後端面側Ａ方向への回転を許容し、一方、前記回転子５、６の少なくともいずれか一方が施錠位置の場合には前記ラッチ７の前記後端面側Ａ方向への回転を阻止するロック部材８を備えている。
【００１１】
実施形態では、筒状本体部１の略半分に相当する後端部の上下及び後方が切欠され、後方切欠部９（図１０参照）を介して該筒状本体部１にラッチホルダー２が組み込まれている。ラッチホルダー２は、図１及び図２で示すように、その内部にラッチ部材（ラッチ、ラッチバネ）を収容するラッチ部材収容部１０が設けられている。
【００１２】
前記ラッチ部材収容部１０には長板状のラッチ７が縦方向に配設され、かつラッチ軸１２を介してラッチホルダー２に軸支されていると共に、ラッチ用付勢手段１３の付勢力により、筒状本体部１の後端面側Ａから該筒状本体部の周側面側Ｂへ常時付勢されている。また前記ラッチホルダー２の後壁側に形成された後端収容部１１内に完全に収容された状態で該ラッチホルダー２の後壁２ｂに軸受け部材１４が固着具１５を介して固定され、前記軸受け部材１４を跨ぐように操作レバー１６が配設されている。
【００１３】
さらに、文字合せ錠Ｘは、操作レバー１６の基端部側にその後端部が係合すると共に、ラッチホルダー２に軸支されたラッチ７を超えて延在する先端部が回転子部材を構成する第２回転子（後方側の回転子）に一体的に連結された連動接続片２１を備え、回転子部材（例えば第２回転子）の中心孔に嵌合する連結具２６に接続自在に係合する。
【００１４】
本願発明の課題は、「ラッチホルダー２の裏側から操作レバー１６をテコの原理を利用して操作し、該操作レバー１６に連動する連動接続片２１を介して複数の回転子５、６で構成されている回転子部材を駆動部材から容易に引き離すこと」である。
【００１５】
そこで、前記駆動部材は、前述したダイヤル操作盤４と、該ダイヤル操作盤の裏側にダイヤル中心軸３を介して一体的に設けられ、かつ該ダイヤル中心軸３（その軸孔）の同心円上に突設された多数の係合部３１を有するダイヤル変更用係合体３０とから成る。
これに対して、回転子部材は、少なくとも一つの回転子（実施形態では第１回転子５）の前面に前記ダイヤル変更用係合体３０の多数の係合部３１と係合する多数の被係合部３２を有している。
【００１６】
したがって、ダイヤル番号の変更時、図２で示すように、ラッチホルダー２の裏側から操作レバー１６を後方へ引き倒すと、回転子部材（第１回転子５と該第１回転子に回動可能に結合する第２回転子６）は、該操作レバー１６の操作力により、ラッチ７側（後方）に位置変位して該回転子部材の多数の被係合部３２が前記駆動部材の多数の係合部３１から離れ、図１１で示すように、その離れた状態でダイヤル操作盤４を所望の方向へ回してダイヤル番号を変更することができる。
【００１７】
さらに、操作レバー１６は、ラッチホルダー２の後端面に固定された軸受け部材１４を跨ぐように配設された門型形状であり、その自由端部には、ラッチホルダー２の一側壁（例えば上壁部分）２ａの内面に形成した不番の係止部分と係脱する係合部分１９が形成されている
加えて、前記ダイヤル変更用係合体３０の外周面は、ダイヤル操作盤の表面に設けた、少なくとも１２の文字数（望ましくは１２乃至１４）に対応する１２角形に形成され、相対する辺が一対のクリックバネ３５に弾圧されている。したがって、以下、本発明の特徴点（特定事項）に関係しない事項は極力図面を省略し、また詳細な説明の中で、特に符号を付する必要がない部分や細部的事項の説明は割愛する。
【００１８】
（２）環境部材と本発明の構成部材
図１には、環境部材として、固定側部材７０（例えば郵便箱、ロッカー）と、該固定側部材７０の内壁面に突出するように固定された受け片７１と、固定側部材７０に開閉可能に設けられた扉７２と、該扉７２に文字合せ錠Ｘを固定するための固定具（例えば螺合体）７３が描かれている。これらの環境部材７１、７２、７３は、本発明の特定事項ではない。
【００１９】
本発明を特定する主な構成部材は、前記（１）で説明したように、ラッチホルダー２を有する筒状本体部１と、駆動部材（ダイヤル中心軸３を中心に回転するダイヤル操作盤４、該ダイヤル操作盤と共に回転するダイヤル変更用係合体３０）と、駆動部材の操作に基づいて回転する回転子部材（複数個の回転子５、６）と、ラッチ７用のロック部材８と、前記ラッチホルダー２の後壁側に直接又は間接的（軸受け部材１４）に設けられ、かつ前記駆動部材から前記回転子部材を引き離すためのテコ式操作レバー１６と、該テコ式操作レバーに連動する接続手段（連動接続片２１、連結具２６）である。以下、構成部材を説明する。
【００２０】
（３）筒状本体部１
まず、筒状本体部１は、例えば硬質の合成樹脂で形成され、図１で示すように扉７２の不番嵌合孔に文字合せ錠Ｘを取付けた場合には、扉７２の外壁面から突出する部分は環状のフランジ部分１ａとなっている。前記フランジ部分１ａに連設する略円筒状部１ｂの先端部側には、固定具（例えばナット、スナップリング）７３が螺合或いは嵌め込まれる不番オネジ等が形成されている。前述したように、筒状本体部１の略半分に相当する後端部の上下及び後方が切欠され、後方切欠部９（図１０参照）を介して該筒状本体部１にラッチホルダー２が組み込まれている。
【００２１】
（４）ラッチホルダー２
ラッチホルダー２の外観構成は、図１０の実線で示すとおりであり、また縦断面における構成は図１及び図２で示すとおりである。これらの図から明らかなように、ラッチホルダー２は筒状本体部１の略中央部から後端部に亘って該筒状本体部１に一体的に組み込まれる。
【００２２】
しかして、１０はラッチ部材収容部で、該ラッチ部材収容部１０には、ラッチ７、ラッチ用付勢手段１３が設けられている。前記ラッチ７はラッチ軸１２を介してラッチホルダー２に軸支されていると共に、ラッチ用付勢手段１３により、前述した固定側部材７０の受け片７１の前方の傾斜状係止片に係合する方向に付勢されている。付言すると、ラッチ７は筒状本体部１の後端面側Ａから該筒状本体部の周側面側Ｂへ常時付勢されている。またラッチホルダー２の後端部寄りの内壁には、付勢手段１３用の不番の短筒状バネ端支持部が突出形成され、該短筒状バネ端支持部には、例えば付勢手段１３の一例としての一つの圧縮コイルバネの一端部が支持されている。またラッチホルダー２の適宜箇所には、ラッチ７の回転範囲を規制する不番の回り止め部分が突出形成されている。
【００２３】
（５）後端収容部１１、軸受け部材１４、操作レバー１６
後端収容部１１は、ラッチホルダー２の突出状上壁２ａと筒状本体部１の後端部の左右の側壁１ｃ、１ｃとで囲まれた空間部分である。実施形態では、該後端収容部１１に固定部材としての軸受け部材１４と、可動部材としての操作レバー１６が設けられている。前記軸受け部材１４は、逆Ｕ字形状部分（或いは逆Ｖ字形状部分）１４ａ及び該逆Ｕ字形状部分の上端部から左右方向に突出する一対の取付け部分１４ｂを有し、後端収容部１１内に完全に収容された状態でラッチホルダー２の後壁２ｂに固着具１５を介して固定されている。また前記操作レバー１６は略門型形状に形成され、軸受け部材１４を跨ぐように後端収容部１１内に完全に収容された状態で配設されている。
【００２４】
しかして、該操作レバー１６は、例えば図１０で示すように、その対向する基端部の内側に左右一対の固定軸１７を介して軸受け部材１４の下端部の軸孔１４ｃに取付けられ、また該固定軸１７よりも上方の部位の外側に左右一対の可動軸１８が水平方向に設けられている。さらに、実施形態では、その自由端部には、ラッチホルダー２の突出状の上壁部分２ａの内面に形成した係止部分と係脱する突片状の係合部分１９が形成されている。
【００２５】
（６）接続手段
実施形態の接続手段は、連動接続片２１と連結具２６とから成る。例えば図５で示すように、連動接続片２１は、操作レバー１６の基端部側にその後端部が左右一対の可動軸１８を介して係合すると共に、ラッチホルダー２に軸支されたラッチ７を超えて延在する先端部が、係止鍔部分２６ａを有する連結具２６を介して、第２回転子（後方側の回転子）６を一体的に連結する。
【００２６】
しかして、該連動接続片２１は、操作レバー１６に設けた左右の可動軸１８と係合する係合長孔２２を有する垂直方向係合部分２３と、該垂直方向係合部分から水平方向に延在する左右一対のアーム部分２４と、該アーム部分の先端部に連設する連結部分の略中央部に立ち上がり状に設けられた突片状接続部分２５を有し、前記接続部分２５が回転子部材（例えば第２回転子）の中心孔に嵌合する連結具２６の係止鍔部分２６ａ、周溝２６ｂ等に接続自在に係合する。なお、前記突片状接続部分２５には不番のＵ字形状の溝が形成されている。また前記連結具２６は前後の端部に係止鍔部分２６ａ、２６ａが設けられている。なお、連動接続片２１は、他の部材との組み合わせの容易性を図るために、例えば略横倒しＵ字形状に形成されている。
【００２７】
（７）駆動部材／ダイヤル操作盤４とダイヤル変更用係合体３０
駆動部材は摘み部材に相当するもので、実施形態では、ダイヤル操作盤４と、該ダイヤル操作盤にダイヤル中心軸３を介して結合するダイヤル変更用係合体３０とから成る。
【００２８】
しかして、前記ダイヤル操作盤４は、例えば図面上断面右向きコ字形状に形成され、数字や記号等の符号（実施形態では、少なくとも１２文字）が設けられた垂直文字盤部分４ａと、該垂直文字盤部分の外周端部に突壁状に周設された環状部分４ｂと、該環状部分の内側に環状間隙を有して形成された短筒状嵌合部分４ｃとから成り、前記環状部分４ｃは固定側部分に相当するフランジ部分１ａの前面に周設された環状凹所に嵌合し、また前記短筒状嵌合部分４ｃは、その中心部にダイヤル中心軸３の端部と螺合する不番軸孔が形成されていると共に、その外周面は多角形（例えば八角形状）に形成されている。
【００２９】
したがって、ダイヤル操作盤４はダイヤル中心軸３と共に、又は設計如何によっては、ダイヤル中心軸３に支承された状態で左右方向に回転可能である。なお、ダイヤル操作盤４は、一物品又は二物品で構成され得る。ダイヤル操作盤４が二物品の場合には、ダイヤル本体と、該ダイヤル本体に一体的に外嵌合するダイヤルカバーとから成る（例えば特開２００６−２７４６９１号公報の図８参照）。
【００３０】
また前記ダイヤル変更用係合体３０は、例えば図３で示すように、ダイヤル中心軸３の同心円上に突設された多数の係合部（例えば係合突起と係合溝）３１を有する。前記多数の係合部３１は、垂直文字盤部分４ａに設けられ文字数に対応して、少なくとも１２個存在する（図８参照）。また、裏側の中央部には、ダイヤル中心軸３が貫通する短筒状嵌合部３６が突設されている。また前記ダイヤル変更用係合体３０の外周面は、ダイヤル操作盤の表面に設けた、少なくとも１２の文字数に対応する１２角形に形成され、相対する辺が一対のクリックバネ３５に弾圧されている。
【００３１】
（８）回転子部材／複数個の回転子５、６
回転子部材は、少なくとも２枚以上の回転子を有する。そして、少なくとも一つの回転子は、駆動部材のダイヤル変更用係合体３０の多数の係合部３１と係合する多数の被係合部（例えば係合溝と係合突起）３２を有する。例えば図４を参照にすると、図面左側にダイヤル変更用係合体３０と係合する第１回転子５が存在し、この第１回転子５と対向するように図面右側に第２回転子６が存在する。両回転子５，６は、第１回転子５の環状部の内周面に周設された係合溝或いは係合突起（実施形態）４１と、該係合溝或いは係合突起４１に係合するように第２回転子６の嵌入部の外周面に周設された係合突起或いは係合溝（実施形態）４２とにより一体的に係合可能である。
【００３２】
また回転子５、６の構造・機能は当業者に自明事項なので、簡単に説明するが、第１回転子５のフランジ板部分の適宜部位には、ツク４３とロック解消用の切欠部４４が設けられ、一方、第２回転子６のフランジ板部分の適宜部位にも、同様にツク４５とロック解消用の切欠部４６が設けられている。そして、両回転子５，６の前記解錠用切欠部４４、４６が揃った場合には、後述するロック部材８のロック片８ａがロックバネ８ｂのバネ力に抗して後退動可能である。
【００３３】
付言すると、実施形態の文字合せ錠Ｘの解錠は、周知の文字合せ錠と同様に、「摘み（ダイヤル操作盤４）を一方向に回転させることにより、一方の回転板（例えば第２回転子６）を一つの暗証番号の位置へと回転させて、該一方の回転板の解錠溝（例えば切欠部分４６）を解錠位置に合わせ、次に前記摘みを逆転させて、第１回転子５の解錠溝（例えば切欠部分４４）を解錠位置に合わせ、両解錠用切欠部分４６、４４を一致させることにより、ラッチ７がラッチ軸１２を中心に回動できるようになり、該ラッチ７を一つの付勢手段１３の付勢力に抗して筒状本体部１内に必要な位置まで没入させることにより、扉７２を開くことができる。
【００３４】
（９）ダイヤル番号の変更
ダイヤル番号の変更時、図２で示すように、ラッチホルダー２の裏側から操作レバー１６を後方へ引き倒すと、回転子部材（第１回転子５と該第１回転子に回動可能に結合する第２回転子６）は、該操作レバー１６の操作力により、ラッチ７側（後方）に位置変位して該回転子部材の多数の被係合部３２が前記駆動部材の多数の係合部３１から離れ、図１１で示すように、その離れた状態でダイヤル操作盤４を所望の方向へ回してダイヤル番号を変更することができる。
【００３５】
（１０）ロック部材８
ロック部材８は、ラッチ７の内端部の前方縁部分に形成したやや弧状部分に当接するブロック形態のロック片８ａと、該ロック片８ａを付勢するロックバネ８ｂとから構成されている。付言すると、図１で示すように、ロック部材８は、筒状本体部１のフランジ部分１ａの内面側に軸方向に配設され、かつ前後方向に摺動可能に設けられロック片８ａと、該ロック片８ａの内端部に常時押圧するロックバネ（例えば圧縮バネ）８ｂとから成る。なお、特に図示しないが、ラッチ７は、メインラッチと、該メインラッチと共に作動するサブラッチから成るものでも良い。
【００３６】
（１１）ラッチ７の作用・効果
ラッチ７の作用を簡単に説明する。実施形態では、扉７２を開く際に筒状本体部１が該扉７２と共に開く方向へ移動する。筒状本体部１が該扉７２と共に開く方向へ移動すると、ラッチ７の下端部（突出外端部）が筒状本体部１の周側壁から常に食み出しているので、受け片７１の前方の略Ｌ字形状突壁部分の縁部に略垂直係合面が当たり、これにより、該ラッチ７は、付勢手段１３の付勢力に抗して回転し、やがて、その下端部（突出外端部）は受け片７１から外れる。
【００３７】
（１２）第２実施形態
図１３は、第１実施形態の一部を設計変更した第２実施形態の概略断面説明図である。この第２実施形態に於いて、第１実施形態と主に異なる点は、ダイヤル変更用係合体３０Ａに回転子の機能を付与したことである。すなわち、ダイヤル操作盤４Ａの内面中央部に係合突起３８を設け、一方、前記係合突起３８と係合するように「ツク」と称する被係合突起３９をダイヤル変更用係合体３０Ａの前面凹所の内壁面に設け、前記ダイヤル変更用係合体３０Ａは、駆動部材としてのダイヤル操作盤４Ａによって回転される回転子になるように構成されている。
【００３８】
したがって、第２実施形態のダイヤル錠Ｘ１の駆動部材は、ダイヤル操作盤４Ａと、該ダイヤル操作盤の内側に互いに係合する係合手段（３８、３９）及びダイヤル中心軸３を介して回動可能に設けられ、かつ該ダイヤル中心軸３の同心円上に突設された多数の係合部３１を有するダイヤル変更用係合体３０Ａとから成り、一方、回転子部材は、少なくとも一つの回転子の前面に前記ダイヤル変更用係合体３０Ａの多数の係合部と係合する多数の被係合部３２を有し、また筒状本体部に組み込まれるラッチホルダー２に、その基端部が軸支された操作レバー１６と、該操作レバーの基端部側にその後端部が係合すると共に、ラッチホルダー２に軸支されたラッチ７を超えて延在する先端部が回転子部材に連結された連動接続片２１とを備え、ダイヤル番号の変更時、ラッチホルダー２の裏側から操作レバー１６を操作すると、回転子部材（５、６）は該操作レバーの操作力により、ラッチ側に位置変位して該回転子部材の多数の被係合部３２が前記駆動部材の多数の係合部３１から離れる。
【００３９】
なお、ダイヤル操作盤４Ａの内側の形状と、前記内側の形状に係合するダイヤル変更用係合体３０Ａの前面側の係合形状は、任意に設計変更可能である。このように構成しても、本発明の本質的事項は変わらない。
【産業上の利用可能性】
【００４０】
本発明は、建物の共用部分に設置される郵便箱やロッカーに使用可能な文字合せ錠（ダイヤル錠）である。
【符号の説明】
【００４１】
Ｘ、Ｘ１…ダイヤル錠、
１…筒状本体部、Ａ…筒状本体部の後端面側、
２…ラッチホルダー、
３…ダイヤル中心軸、
４、４Ａ…ダイヤル操作盤、
５、６……複数個の回転子（回転子部材）、
７…ラッチ、
８…ロック部材、８ａ…ロック片、
９…筒状本体部の後方切欠部、
１０…ラッチ部材収容部、
１１…後端部収容部、
１２…ラッチ軸、
１３…ラッチ用付勢手段、
１４…軸受け部材、１５…固着具、
１６…操作レバー、
１７…固定軸、１８…可動軸、
１９…係合部分、
２１…連動接続片、
２３…垂直方向係合部分、
２４…アーム部分、
２５…接続部分、
２６…連結具、
３０，３０Ａ…ダイヤル変更用係合体、
３１…多数の係合部、
３２…多数の被係合部、
３５…クリックバネ、７１…受け片。
３８、３９…係合手段（係合突起、被係合突起。
【図１】
2015206167.tif 000003
【図２】
2015206167.tif 000004
【図３】
2015206167.tif 000005
【図４】
2015206167.tif 000006
【図５】
2015206167.tif 000007
【図６】
2015206167.tif 000008
【図７】
2015206167.tif 000009
【図８】
2015206167.tif 000010
【図９】
2015206167.tif 000011
【図１０】
2015206167.tif 000012
【図１１】
2015206167.tif 000013
【図１２】
2015206167.tif 000014
【図１３】
2015206167.tif 000015